(57)【要約】【課題】既存の無線音声通話システムを利用して、ＭＣＡ無線通信設備のような専用設備を必要とせずに移動局の位置情報等の送信、受信を可能とする。【解決手段】基地局側無線機１１と複数の移動局側無線機３１間との音声通話システムにおいて、基地局１および移動局３に、音声信号以外のデータを擬似音声信号に変換する手段と、無線機の音声入力手段であるマイクのＰＴＴスイッチのＰＴＴ信号の後に擬似ＰＴＴ信号を付加した伸張ＰＴＴ信号を作成する手段と、ＰＴＴ信号の入力がなくなった後直ちに音声信号以外のデータを擬似音声信号に変換して無線機へ送信する手段からなるデータ変換装置１２、３２を設けた。【選択図】図１
2008147859.tif 000002
【特許請求の範囲】
【請求項１】
基地局側無線機と複数の移動局側無線機間との音声通話システムにおいて、
基地局および移動局に、
音声信号以外のデータを擬似音声信号に変換する手段と、
無線機の音声入力手段であるマイクのＰＴＴスイッチのＰＴＴ信号の後に擬似ＰＴＴ信号を付加した伸張ＰＴＴ信号を作成する手段と、
ＰＴＴ信号の入力がなくなった後直ちに音声信号以外のデータを擬似音声信号に変換して無線機へ送信する手段からなるデータ変換装置を設けた
ことを特徴とする音声通話システム。
【請求項２】
請求項１に記載の音声通話システムにおいて、
前記データ変換装置は、マイクからの音声信号と、擬似音声信号を選択するセレクタを設けた
ことを特徴とする音声通話システム。
【請求項３】
請求項１または請求項２に記載の音声通話システムにおいて、
前記移動局に、ＧＰＳシステムを搭載し、自局の位置情報を擬似音声信号に変換して基地局に対して送信する
ことを特徴とする音声通話システム。
【請求項４】
請求項３に記載の音声通話システムにおいて、
前記移動局は、前記基地局からの一斉位置情報収集指令に基づいて自局の位置情報を擬似音声信号に変換して基地局に対して送信する
ことを特徴とする音声通話システム。
【請求項５】
請求項４記載の音声通話システムにおいて、
前記移動局は、前記基地局からの一斉位置情報収集指令に対して、予め設定された移動局毎の遅延時間待機後、自局の位置情報を擬似音声に変換し基地局に対して送信する
ことを特徴とする音声通話システム。
【請求項６】
請求項３に記載の音声通話システムにおいて、
前記移動局は、一定の周期毎に自局の位置情報を擬似音声データに変換して基地局に対して送信する
ことを特徴とする音声通話システム。
【請求項７】
基地局側無線機と複数の移動局側無線機間との音声通話システムを構成するデータ変換装置であって、
データ変換装置は、無線機とマイクとの間に接続され、
音声信号以外のデータを擬似音声信号に変換する手段と、
無線機の音声入力手段であるマイクのＰＴＴスイッチのＰＴＴ信号の後に擬似ＰＴＴ信号を付加した伸張ＰＴＴ信号を作成する手段と、
ＰＴＴ信号の入力がなくなった後直ちに音声信号以外のデータを擬似音声信号に変換して無線機へ送信する手段と、
マイクからの音声信号と擬似音声信号を選択するセレクタを備えた
ことを特徴とするデータ変換装置。
【請求項８】
請求項７に記載のデータ変換装置において、
前記セレクタはマイクからのＰＴＴ信号があるときにマイクからの音声信号を選択し、マイクからのＰＴＴ信号がなくなり擬似ＰＴＴ信号があるときに擬似音声信号を選択して無線機へ送出する
ことを特徴とするデータ変換装置。
【発明の詳細な説明】
【技術分野】
【０００１】
本発明は、携帯電話等の既存の無線音声通話システムを利用した音声通話システムおよびデータ変換装置に関する。
【背景技術】
【０００２】
音声通話システムに於いては、主に１つの基地局と複数の移動局間で音声による通話が行われ、様々な指示や情報の交換が行われる。特にお客さまサービス業については、その移動局の現在位置がサービスにとって重要な情報である。現在、このような要望から、ＧＰＳを用いたＭＣＡ無線通信への移行が行われているが、無線設備更新には相当な費用が発生し、中小の企業では取り組みが遅れているのが現状である。また、ＭＣＡ無線通信は、通話者の位置情報の取得は可能ではあるが、その他サービスに附随する様々な情報の伝送は行う事はできない。
【０００３】
従来の音声通話システムは、話者の音声を伝送することが主目的であるため、音声信号を指定された搬送波（キャリア）で変調し無線波とし、これを増幅し空中線を経由し送受信することで基地局と移動局間の情報伝達の手段としている。このため、音声以外の情報（移動局の位置座標等）を送信また、受信することは考慮されていない。
【０００４】
自動車位置情報を収集する手段と、前記自動車位置情報を管理センターに送信する手段と、ディジタル地図上における複数の車両の当該位置にマークを表示する車載ディスプレイ装置とを各車両に設け、各車両に車両位置情報を配信する車両位置情報配信手段を管理センターに設けた車両位置情報提供装置が提案されている（例えば、特許文献１参照）。
【特許文献１】特開２０００−３５７２９６号公報
【発明の開示】
【発明が解決しようとする課題】
【０００５】
携帯電話等の既存の無線音声通話システムを利用した位置情報の管理方法において、ＭＣＡ無線通信設備のような専用設備を新たに導入することなく、既存の無線音声通話システムに軽微な変更を加えるだけで、子器（移動局）の位置情報等の送信、受信を可能とする。
【課題を解決するための手段】
【０００６】
上記課題を解決するために、本発明は、基地局側無線機と複数の移動局側無線機間との音声通話システムにおいて、基地局および移動局に、音声信号以外のデータを擬似音声信号に変換する手段と、無線機の音声入力手段であるマイクのＰＴＴスイッチのＰＴＴ信号の後に擬似ＰＴＴ信号を付加した伸張ＰＴＴ信号を作成する手段と、ＰＴＴ信号の入力がなくなった後直ちに音声信号以外のデータを擬似音声信号に変換して無線機へ送信する手段からなるデータ変換装置を設けた。
【０００７】
また、本発明は、上記音声通話システムにおいて、データ変換装置に、マイクからの音声信号と、擬似音声信号を選択するセレクタを設けた。
【０００８】
さらに本発明は、上記音声通話システムにおいて、移動局に、ＧＰＳシステムを搭載し、自局の位置情報を擬似音声信号に変換して基地局に対して送信する。また、本発明は、上記音声通話システムにおいて、基地局からの一斉位置情報収集指令に基づいて自局の位置情報を擬似音声信号に変換して基地局に対して送信する。または、基地局からの一斉位置情報収集指令に対して、予め設定された移動局毎の遅延時間待機後、自局の位置情報を擬似音声に変換し基地局に対して送信する。もしくは、一定の周期毎に自局の位置情報を擬似音声データに変換して基地局に対して送信する。
【０００９】
本発明は、上記課題を解決するために、基地局側無線機と複数の移動局側無線機間との音声通話システムを構成するデータ変換装置であって、データ変換装置は、無線機とマイクとの間に接続され、音声信号以外のデータを擬似音声信号に変換する手段と、無線機の音声入力手段であるマイクのＰＴＴスイッチのＰＴＴ信号の後に擬似ＰＴＴ信号を付加した伸張ＰＴＴ信号を作成する手段と、ＰＴＴ信号の入力がなくなった後直ちに音声信号以外のデータを擬似音声信号に変換して無線機へ送信する手段と、マイクからの音声信号と擬似音声信号を選択するセレクタを備えた。
【００１０】
さらに、本発明は、上記データ変換装置において、前記セレクタはマイクからのＰＴＴ信号があるときにマイクからの音声信号を選択し、マイクからのＰＴＴ信号がなくなり擬似ＰＴＴ信号があるときに擬似音声信号を選択して無線機へ送出する。
【００１１】
本発明は、基地局と複数の移動局間での音声通話システムにおいて、移動局側ではＧＰＳによる位置情報を常時取得することで、基地局間との音声による通話時、基地局側へ返送する移動局の音声データ後部に擬似音声に変換された移動局の位置情報を伝送することを可能とすることにより、音声通話システム位置情報管理方式を提供する。
【００１２】
本発明は、上記音声通話システム位置情報管理方式で、基地局間の音声による通話時、基地局からの音声データ後部に擬似音声に変換された指令を受信した移動局側の子器は、必要な情報を子器表示部へ表示し、基地局側へ返送する移動局の音声データ後部に擬似音声に変換された移動局の位置情報と指令に応じた情報を伝送することを可能とする。
【００１３】
本発明は、上記音声通話システム位置情報管理方式で、移動局側ではＧＰＳによる時刻情報を常時取得することで、基地局からの呼出しが一定以上行われないことを検知することによって、自局の位置情報を擬似音声に変換し基地局に対して自動的に送信することを可能とする。
【００１４】
本発明は、上記音声通話システム位置情報管理方式で、基地局からの一斉位置情報収集指令に対して、予め設定された子器毎の遅延時間待機後、自局の位置情報を擬似音声に変換し基地局に対して送信することを可能とする。
【発明の効果】
【００１５】
本発明によれば、既存の音声通話システム資産をそのまま活用し、本発明によるデータ変換装置を移動局側通信機（子器）および、基地局側通信機（親器）に接続し通常の通話を行うことで、複数移動局の現在位置および、サービスに関する様々な付加情報を基地局で一元管理可能とすることができる。位置情報が把握可能であるＭＣＡ無線システムの導入コストを負わず、位置情報以外の情報をもサービス毎に選択し管理可能とすることができる。
【発明を実施するための最良の形態】
【００１６】
本発明は、既存音声通話システムの基地局および移動局にそれぞれ無線機親器および無線機子器を接続し、移動局側でＧＰＳによる位置情報を受信し、通常通話の音声後部に擬似音声に変換された指令およびそれに対する応答と移動局の位置情報を付加させることで、移動局の現在位置や警報などを収集可能とする音声通話システムにおける位置情報管理方式である。
【００１７】
本発明は、携帯電話等の既存の無線音声通話システムを利用した位置情報の管理方法に関し、携帯電話等で利用されている無線音声通話システムは、音声を無線波として伝送することが目的であるため、そのままでは音声以外の情報（ＧＰＳによる位置情報等）を送信、または受信することができなかったが、本発明は、移動局側でＧＰＳによる位置情報等を常時取得し、基地局との通話時に、取得した位置情報を音声データの後部に擬似音声に変換して伝送することを特徴とする。これによって、ＭＣＡ無線通信設備のような専用設備を新たに導入することなく、既存の無線音声通話システムにデータ変換装置を追加するだけで、移動局の位置情報等の送信、受信が可能となる。
【００１８】
図１を用いて、本発明にかかる音声通話システムにおける位置情報管理方式の構成の概要を説明する。本発明は、無線で車両に搭載された位置情報表示装置と通信する管理センター（親局）１と、管理センター１と無線を介して通話する例えば車両などに搭載された移動局（子局）３−１〜３−ｎとから構成される。管理センター１は、基地局側無線機１１と、ＰＴＴ（プッシュツートーク）スイッチ付マイク１３とからなる通常の音声通話装置としての機能のほかに、データ変換装置１２を有して構成される。移動局３は、移動局側無線機３１と、ＰＴＴスイッチ付マイク３３とからなる通常の音声通話装置としての機能のほかに、データ変換装置３２と、ＧＰＳアンテナ３４と、表示装置３５とを有して構成される。
【００１９】
本発明の音声通話システムにおける位置情報管理方式は、既存の音声通話システムを用いて、ＧＰＳ情報などの各種データを擬似音声に変換して送受信することに特徴を有している。
【００２０】
管理センター（親局）１の具体的な構成を、図２を用いて説明する。管理センター（親局）１は、送受信切換部１１１を有する基地局側無線機１１と、データ変換装置１２と、ＰＴＴスイッチ１３２を有するマイク１３とを有して構成される。データ変換装置１２は、演算部１２１と、Ｄ／Ａ変換部１２３と、セレクタ１２４と、Ａ／Ｄ変換部１２５と、Ｉ／Ｆ部１２６と、ディップスイッチ１２７と、モニタ端子１２８と、マイク・ＰＴＴ端子１２９Ａ，１２９Ｂとを有して構成される。
【００２１】
演算部１２１は、基地局側無線機１１が受信した移動局３からのデータのうち、擬似音声化されたガード・ＩＤ・指令を取り込み、必要なデータを管理システムへ出力する機能と、移動局３を個別または一斉に呼び出し、指令等を送信する機能を有している。さらに、演算部１２１は、マイク１３からＰＴＴスイッチ押し下げ信号が入力されたときに、セレクタ１２４をマイク１３からのマイク・ＰＴＴ端子１２９Ａと基地局側無線機１１側のマイク・ＰＴＴ端子１２９Ｂを接続するように機能する。さらに、演算部１２１は、音声データに加えてその他のデータを送信する場合には、ＰＴＴ信号を引き伸ばしてＤ／Ａ変換部１２３を経由した擬似音声化したデータをマイク・ＰＴＴ端子１２９Ａへ接続するようにセレクタ１２４を動作させる機能を有している。
【００２２】
Ｄ／Ａ変換部１２３は、演算部１２１からのディジタルデータをアナログの擬似音声信号に変換する機能を有している。
【００２３】
セレクタ１２４は、マイク・ＰＴＴ端子１２９Ａからの音声信号またはＡ／Ｄ変換部１２３からの擬似音声信号を選択して、マイク・ＰＴＴ端子１２９Ｂへ出力する機能を有している。
【００２４】
Ａ／Ｄ変換部１２５は、基地局側無線機１１からモニタ端子１２８を介して入力された擬似音声信号などのアナログ信号をディジタル信号に変換して演算部１２１へ出力する機能を有している。
【００２５】
Ｉ／Ｆ部１２７は、管理システムとの入出力のためのインタフェースである。
【００２６】
モニタ端子１２８は、基地局側無線機１１からのモニタ出力を受ける端子である。
【００２７】
マイク・ＰＴＴ端子１２９Ａは、マイク１３のＰＴＴスイッチ１３２の出力を受ける端子である。
【００２８】
マイク・ＰＴＴ端子１２９Ｂは、演算部１２１で処理したＰＴＴ出力と基地局側無線機１１からのＰＴＴ出力を授受する端子である。
【００２９】
図３を用いて、移動局（子局）３の具体的な構成を、図３を用いて説明する。移動局３は、送受信切換部３１１およびスピーカ３１２を有する移動局側無線機３１と、データ変換装置３２と、ＰＴＴスイッチ３３２を有するマイク３３と、ＧＰＳアンテナ３４と、表示部３５を有して構成される。データ変換装置３２は、演算部３２１と、ＧＰＳ処理部３２２と、Ｄ／Ａ変換部３２３と、セレクタ３２４と、Ａ／Ｄ変換部３２５と、Ｉ／Ｆ部３２６と、ディップスイッチ３２７と、モニタ端子３２８と、マイク・ＰＴＴ端子３２９Ａ，３２９Ｂとを有して構成される。
【００３０】
演算部３２１は、移動局側無線機３１が基地局側無線機１１から受信したデータのうち、擬似音声化されたガード・ＩＤ・指令を取り込み、必要なデータを表示部３５へ出力する機能と、マイク３３からＰＴＴスイッチ３３２押し下げ信号が入力されたときに、セレクタ３２４をマイク３３からのマイク・ＰＴＴ端子３２９Ａと移動局側無線機３１側のマイク・ＰＴＴ端子３２９Ｂを接続するように機能する。さらに、演算部３２１は、音声データに加えてその他のデータを送信する場合には、ＰＴＴ信号を引き伸ばしてＤ／Ａ変換部３２３を経由した擬似音声化したデータをマイク・ＰＴＴ端子３２９Ａへ接続するようにセレクタ３２４を動作させる機能を有している。
【００３１】
ＧＰＳ処理部３２２は、ＧＰＳアンテナ３４で受信した信号に基づいて現在地を演算し、表示部３５に表示させる機能を有している。
【００３２】
Ｄ／Ａ変換部３２３は、演算部３２１からのディジタルデータをアナログの擬似音声信号に変換する機能を有している。
【００３３】
セレクタ３２４は、マイク・ＰＴＴ端子３２９Ａからの音声信号またはＡ／Ｄ変換部３２３からの擬似音声信号を選択して、マイク・ＰＴＴ端子３２９Ｂへ出力する機能を有している。
【００３４】
Ａ／Ｄ変換部３２５は、移動局側無線機３１からモニタ端子３２８を介して入力された音声信号や擬似音声信号などのアナログ信号をディジタル信号に変換して演算部３２１へ出力する機能を有している。
【００３５】
Ｉ／Ｆ部３２７は、管理システムとの入出力のためのインタフェースである。
【００３６】
モニタ端子３２８は、移動局側無線機３１からのモニタ出力を受ける端子である。
【００３７】
マイク・ＰＴＴ端子３２９Ａは、マイク３３のＰＴＴスイッチ３３２の出力を受ける端子である。
【００３８】
マイク・ＰＴＴ端子３２９Ｂは、演算部３２１で処理したＰＴＴ出力と基地局側無線機３１からのＰＴＴ出力を授受する端子である。
【００３９】
ＧＰＳ処理部３２２からのＧＰＳデータは演算処理部３２１に送られ、Ｄ／Ａ変換部３２３、セレクタ３２４を経由して、移動局側無線機３１へ出力される。
【００４０】
移動局側無線機３１からの信号送受信タイミングの例を図４を用いて説明する。移動局側無線機３１からの信号であるＭＯＮ入力（ａ）を受信すると、演算部３２１は、ガードとＩＤと指令を取り出し復調データ（ｂ）を生成し、復調した指令を例えば表示装置３５へ表示する。
【００４１】
この指令に基づいて、マイク３３からは、ＰＴＴスイッチ３３２が押し下げられている間ＰＴＴ信号（ｄ）が入力され、ＰＴＴ信号が入力されている間音声データ（ｃ）が入力される。
【００４２】
音声データはセレクタ３２４を経由して移動局側無線機３１へ送られる。ＰＴＴ信号は、演算部３２１へ送られ、指令に基づいて演算部３２１で作成されたガードおよびＩＤならびにＧＰＳデータなどの応答が搭載された変調データの長さ分引き伸ばされて、伸張ＰＴＴ信号（ｇ）が出力され、伸張された時間はセレクタ３２４がＤ／Ａ変換部３２３からの擬似音声信号（ｅ）を選択して移動局側無線機３１へ送出する期間となる。
【００４３】
マイク・ＰＴＴ端子３２９Ｂのマイク端子から移動局側無線機３１への出力は、音声データとガードとＩＤと応答の音声信号と擬似音声信号（ｆ）からなる信号となる。
【００４４】
このようにして、管理センター１から位置情報収集の指令を受信した移動局は、擬似音声信号を用いて既存の無線通信システムにより位置情報等の音声以外のデータを送受信することができる。
【００４５】
管理センター１から一斉指令があったときの各移動局３−１…３―ｎからの応答のタイミングについて図５を用いて説明する。図４（ａ）に示す管理センター１からの位置情報取得一斉指令を受信した各移動局は、それぞれに予め設定された遅延時間Ｄ１〜Ｄ５の時間が経過した後図２（ｆ）に示す音声データとガードとＩＤと応答からなるマイク出力を（ｂ２）、（ｂ１）、（ｂ５）、（ｂ３）、（ｂ４）の順に、順次送信する。
【００４６】
このようにして、管理センター１は、従来の音声通話システムを用いて各移動局からそれぞれの位置情報を順次取得することができる。
【００４７】
本発明は、上記基地局と複数の移動局間での音声通話システムにおいて、移動局側ではＧＰＳによる位置情報を常時取得することで、基地局間との音声による通話時、基地局側へ返送する移動局の音声データ後部に擬似音声に変換された移動局の位置情報を伝送することを可能とする。
【００４８】
また、上記音声通話システムにおける位置情報管理方式で、基地局間の音声による通話時、基地局からの音声データ後部に擬似音声に変換された指令を受信した移動局側の子器は、必要な情報を移動局の表示部へ表示し、基地局側へ返送する移動局の音声データ後部に擬似音声に変換された移動局の位置情報と指令に応じた情報を伝送することを可能とする。
【００４９】
さらに、上記音声通話システムにおける位置情報管理方式で、移動局側ではＧＰＳによる時刻情報を常時取得することで、基地局からの呼出しが一定以上行われないことを検知することによって、自局の位置情報を擬似音声に変換し基地局に対して自動的に送信することを可能とする。
【００５０】
加えて、上記音声通話システムにおける位置情報管理方式で、基地局からの一斉位置情報収集指令に対して、予め設定された子器毎の遅延時間待機後、自局の位置情報を擬似音声に変換し基地局に対して送信することを可能とする。
【図面の簡単な説明】
【００５１】
【図１】本発明にかかる音声通話システムの構成の概要を説明する図。
【図２】本発明にかかる音声通話システムを構成する管理センターの構成の概要を説明する図。
【図３】本発明にかかる音声通話システムを構成する移動局の構成の概要を説明する図。
【図４】本発明における送受信データの構成と移動局側信号送受信タイミングの例を説明する図。
【図５】本発明における一斉指令応答のタイミングの例を説明する図。
【符号の説明】
【００５２】
１：管理センター（親局）
１１：基地局側無線機
１１１：送受信切換部
１２：データ変換装置
１２１：演算部
１２３：Ｄ／Ａ変換部
１２４：セレクタ
１２５：Ａ／Ｄ変換部
１２６：Ｉ／Ｆ部
１２７：ＤＩＰ−ＳＷ
１２８：モニタ端子
１２９：マイク・ＰＴＴ端子
１３：マイク
１３２：ＰＴＴスイッチ
３：移動局（子局）
３１：移動局側無線機
３１１：送受信切換部
３１２：スピーカ
３２：データ変換装置
３２１：演算部
３２２：ＧＰＳ処理部
３２３：Ｄ／Ａ変換部
３２４：セレクタ
３２５：Ａ／Ｄ変換部
３２６：Ｉ／Ｆ部
３２７：ＤＩＰ−ＳＷ
３２８：モニタ端子
３２９：マイク・ＰＴＴ端子
３３：マイク
３３２：ＰＴＴスイッチ
３４：ＧＰＳアンテナ
３５：表示部
【図１】
2008147859.tif 000003
【図２】
2008147859.tif 000004
【図３】
2008147859.tif 000005
【図４】
2008147859.tif 000006
【図５】
2008147859.tif 000007